(57)【要約】【課題】  不具合の要因を詳細に把握することができる移動機試験装置及び移動機試験方法を提供する。【解決手段】  移動機試験システム１では、移動機試験装置１０の制御部１０Ａにより、試験用移動機２０の位置登録を確認するステップ、試験用移動機２０と移動体通信網４０との通信接続を確認するステップ、試験用移動機２０と通話先移動機５０との通話接続を確認するステップ、という３段階のステップを経ることによって当該試験用移動機２０の接続試験が行われる。そして、移動機試験装置１０では、各々の確認ステップが正常に完了した場合にのみ、次の確認ステップに進むようになっている。これにより、ユーザは、単に試験用移動機２０の接続試験の結果が正常であったか否かを知るだけではなく、不具合が発生した場合にその要因を詳細に把握することができる。【選択図】  図１
2007028545.tif 000002
【特許請求の範囲】
【請求項１】
試験用移動機が接続され、当該移動機における移動体通信網への接続試験を行うための移動機試験装置であって、
前記試験用移動機に対して前記移動体通信網への位置登録を要求させ、当該要求に応じて前記移動体通信網から前記試験用移動機に送信される位置登録の処理結果情報を、前記試験用移動機から取得する位置登録確認手段と、
前記位置登録確認手段によって、位置登録の要求を行ってから所定の時間が経過するまでに、位置登録が正常に完了した旨の処理結果情報の取得がなされた場合に、前記試験用移動機に対して前記移動体通信網への通信接続を要求させ、当該要求に応じて前記移動体通信網から前記試験用移動機に送信される通信接続の処理結果情報を、前記試験用移動機から取得する通信接続確認手段と、
前記通信接続確認手段によって、通信接続の要求を行ってから所定の時間が経過するまでに、通信接続が正常に完了した旨の処理結果情報の取得がなされた場合に、前記試験用移動機に対して前記移動体通信網に属する通話先移動機との通話接続を要求させ、当該要求に応じて前記移動体通信網から前記試験用移動機に送信される通話接続の処理結果情報を、前記試験用移動機から取得する通話接続確認手段と、を備えたことを特徴とする移動機試験装置。
【請求項２】
試験用移動機における移動体通信網への接続試験を行うための移動機試験方法であって、
位置登録確認手段が、前記試験用移動機に対して前記移動体通信網への位置登録を要求させ、当該要求に応じて前記移動体通信網から前記試験用移動機に送信される位置登録の処理結果情報を、前記試験用移動機から取得するステップと、
通信接続確認手段が、前記位置登録確認手段によって、位置登録の要求を行ってから所定の時間が経過するまでに、位置登録が正常に完了した旨の処理結果情報の取得がなされた場合に、前記試験用移動機に対して前記移動体通信網への通信接続を要求させ、当該要求に応じて前記移動体通信網から前記試験用移動機に送信される通信接続の処理結果情報を、前記試験用移動機から取得するステップと、
通話接続確認手段が、前記通信接続確認手段によって、通信接続の要求を行ってから所定の時間が経過するまでに、通信接続が正常に完了した旨の処理結果情報の取得がなされた場合に、前記試験用移動機に対して前記移動体通信網に属する通話先移動機との通話接続を要求させ、当該要求に応じて前記移動体通信網から前記試験用移動機に送信される通話接続の処理結果情報を、前記試験用移動機から取得するステップと、を備えたことを特徴とする移動機試験方法。
【発明の詳細な説明】
【技術分野】
【０００１】
本発明は、移動機の接続試験を行うための移動機試験装置及び移動機試験方法に関する。
【背景技術】
【０００２】
ＣＤＭＡ（Code  Division  Multiple  Access）方式などを用いる移動機の接続の正常性を確認する試験においては、ネットワークを司る無線制御装置等と試験用の移動機との間の処理シーケンスを監視することにより、位置登録、発呼、着呼といった一連のコールプロセッシングの正常性を判断している。なお、この背景技術は文献公知発明に係るものではないので、記載すべき先行技術文献はない。
【発明の開示】
【発明が解決しようとする課題】
【０００３】
上述したような試験では、最終的に接続が正常であったか否かを単に判断するだけではなく、処理シーケンスに異常が認められた場合に、不具合の要因をできるだけ詳細に把握することができる技術が望まれている。
【０００４】
本発明は上記課題の解決のためになされたものであり、不具合の要因を詳細に把握することができる移動機試験装置及び移動機試験方法を提供することを目的とする。
【課題を解決するための手段】
【０００５】
上記課題の解決のため、本発明に係る移動機試験装置は、試験用移動機が接続され、当該移動機における移動体通信網への接続試験を行うための移動機試験装置であって、試験用移動機に対して移動体通信網への位置登録を要求させ、当該要求に応じて移動体通信網から試験用移動機に送信される位置登録の処理結果情報を、試験用移動機から取得する位置登録確認手段と、位置登録確認手段によって、位置登録の要求を行ってから所定の時間が経過するまでに、位置登録が正常に完了した旨の処理結果情報の取得がなされた場合に、試験用移動機に対して移動体通信網への通信接続を要求させ、当該要求に応じて移動体通信網から試験用移動機に送信される通信接続の処理結果情報を、試験用移動機から取得する通信接続確認手段と、通信接続確認手段によって、通信接続の要求を行ってから所定の時間が経過するまでに、通信接続が正常に完了した旨の処理結果情報の取得がなされた場合に、試験用移動機に対して移動体通信網に属する通話先移動機との通話接続を要求させ、当該要求に応じて移動体通信網から試験用移動機に送信される通話接続の処理結果情報を、試験用移動機から取得する通話接続確認手段と、を備えたことを特徴としている。
【０００６】
この移動機試験装置は、試験用移動機の位置登録を確認するステップ、試験用移動機と移動体通信網との通信接続を確認するステップ、試験用移動機と通話先移動機との通話接続を確認するステップ、という３段階のステップを経ることによって当該移動機の通信接続試験を行う装置である。そして、この移動機試験装置では、各々の確認ステップが正常に完了した場合にのみ、次の確認ステップへと進むようになっている。したがって、確認ステップの中断が発生した場合には、随時その処理シーケンスを確認することが可能となる。これにより、試験者は、単に試験用移動機の通信接続の結果が正常であったか否かを知るだけではなく、不具合が発生した場合にその要因を詳細に把握することができる。
【０００７】
また、本発明に係る移動機試験方法は、試験用移動機における移動体通信網への接続試験を行うための移動機試験方法であって、位置登録確認手段が、試験用移動機に対して移動体通信網への位置登録を要求させ、当該要求に応じて移動体通信網から試験用移動機に送信される位置登録の処理結果情報を、試験用移動機から取得するステップと、通信接続確認手段が、位置登録確認手段によって、位置登録の要求を行ってから所定の時間が経過するまでに、位置登録が正常に完了した旨の処理結果情報の取得がなされた場合に、試験用移動機に対して移動体通信網への通信接続を要求させ、当該要求に応じて移動体通信網から試験用移動機に送信される通信接続の処理結果情報を、試験用移動機から取得するステップと、通話接続確認手段が、通信接続確認手段によって、通信接続の要求を行ってから所定の時間が経過するまでに、通信接続が正常に完了した旨の処理結果情報の取得がなされた場合に、試験用移動機に対して移動体通信網に属する通話先移動機との通話接続を要求させ、当該要求に応じて移動体通信網から試験用移動機に送信される通話接続の処理結果情報を、試験用移動機から取得するステップと、を備えたことを特徴としている。
【０００８】
この移動機試験方法は、試験用移動機の位置登録を確認するステップ、試験用移動機と移動体通信網との通信接続を確認するステップ、試験用移動機と通話先移動機との通話接続を確認するステップ、という３段階のステップを経ることによって当該移動機の通信接続試験を行うものである。そして、この移動機試験方法では、各々の確認ステップが正常に完了した場合にのみ、次の確認ステップへと進むようになっている。したがって、確認ステップの中断が発生した場合には、随時その処理シーケンスを確認することが可能となる。これにより、試験者は、単に試験用移動機の通信接続の結果が正常であったか否かを知るだけではなく、不具合が発生した場合にその要因を詳細に把握することができる。
【発明の効果】
【０００９】
以上説明したように、本発明に係る移動機試験装置及び移動機試験方法によれば、不具合の要因を詳細に把握することができる。
【発明を実施するための最良の形態】
【００１０】
以下、図面を参照しながら、本発明に係る移動機試験装置及び移動機試験方法の好適な実施形態について詳細に説明する。
【００１１】
図１は、本発明に係る移動機試験装置を備えた移動機試験システムの一実施形態を示す構成図である。図１に示すように、移動機試験システム１は、例えばＣＤＭＡ方式を採用する移動機と移動体通信網との接続試験を行うためのシステムであり、基地局（図示しない）に併設される移動機試験装置１０と、この移動機試験装置１０内に収容された試験用移動機２０と、移動機試験装置１０を遠隔操作するためのオペレータ端末３０と、を備えて構成されている。移動機試験装置１０と試験用移動機２０とは、所定の接続インタフェイスを介して接続され、相互に情報送信可能になっている。また、移動機試験装置１０とオペレータ端末３０とは、基地局を介して移動機試験装置１０と接続され、相互に情報送信可能となっている。そして、試験用移動機２０の接続対象である移動体通信網４０には、基地局、交換機、ロケーションレジスタ等が含まれると共に、この移動体通信網４０に属する通話先移動機５０が接続されている。以下、各構成要素について詳細に説明する。
【００１２】
移動機試験装置１０は、物理的には、ＣＰＵ、メモリ、通信インタフェイス、ハードディスクといった格納部、ディスプレイといった表示部等を備えたコンピュータシステムである。また、この移動機試験装置１０の制御部１０Ａは、機能的な構成要素として、位置登録確認部１０１と、通信接続確認部１０２と、通話接続確認部１０３とを備えている。
【００１３】
位置登録確認部１０１は、試験用移動機２０の位置登録を確認する部分である。より具体的には、位置登録確認部１０１は、オペレータ端末３０から位置登録試験の開始を要求する開始要求情報を受信すると、試験用移動機２０にアタッチ処理の開始を指示するアタッチ処理指示情報と電源をＯＮ状態にするように指示する電源指示情報とを出力し、試験用移動機２０に対して移動体通信網４０への位置登録を開始させる。
【００１４】
このとき、位置登録確認部１０１は、所定回数（例えば４回）のリサイクルカウントが終了するまで、試験用移動機２０と移動体通信網４０とのＲＲＣ（Radio Resource Control：無線リソース制御）接続の処理結果を示す処理結果情報を待ち受ける待受状態となる。そして、位置登録確認部１０１は、この待受状態において、試験用移動機２０からＲＲＣ接続が拒絶された旨の処理結果情報を検出した場合、または、リサイクルカウントが終了（リサイクルアウト）しても試験用移動機２０から何らの処理結果情報も検出できなかった場合には、当該エラーに対応するＮＧコード（０ｘ５１：エアシーケンスエラー）をオペレータ端末３０に送信する。
【００１５】
さらに、位置登録確認部１０１は、リサイクルアウトとなるまでに試験用移動機２０からＲＲＣ接続が正常に完了した旨の処理結果情報を検出した場合には、ＲＲＣ接続に続いて試験用移動機２０と移動体通信網４０との間でなされるアタッチ処理の処理結果を示す処理結果情報の待ち受けを行う。そして、位置登録確認部１０１は、アタッチ処理がタイムアウトとなった場合、または、アタッチ処理がタイムアウトとなるまでに、試験用移動機２０からアタッチ処理が拒絶された旨の処理結果情報を検出した場合には、当該エラーに対応するＮＧコード（０ｘ５０：アタッチ／デタッチＮＧ）をオペレータ端末３０に送信する。
【００１６】
一方、位置登録確認部１０１は、試験用移動機２０からアタッチ処理が正常に完了した旨の処理結果情報を受け取った場合には、試験用移動機に対して在圏確認を行う。そして、位置登録確認部１０１は、試験用移動機２０から在圏確認結果を示す結果情報を検出した場合には、位置登録が正常に完了した旨を示す位置登録完了情報を、オペレータ端末３０と通信接続確認部１０２とに送信する。
【００１７】
また、位置登録確認部１０１は、在圏確認がタイムアウトとなった場合には、当該エラーに対応するＮＧコード（０ｘ５２：ＭＳタイムアウト）をオペレータ端末３０に送信し、在圏確認時の情報を試験用移動機２０から正確に検出できなかった場合には、当該エラーに対応するＮＧコード（０ｘ５３：受信レベル＜待ち受け許可レベル、または、０ｘ５４：システム情報未受信）をオペレータ端末３０に送信する。
【００１８】
通信接続確認部１０２は、位置登録が正常に完了した試験用移動機２０と移動体通信網４０との通信接続を確認する部分である。この通信接続確認部１０２は、位置登録確認部１０１から位置登録完了情報を受け取ると、オペレータ端末３０から通信接続試験の開始を要求する開始要求情報を待ち受ける待受状態に移行する。そして、通信接続確認部１０２は、待受状態においてオペレータ端末３０から開始要求情報を受信すると、試験用移動機２０に対して発信先番号（通話先移動機５０の電話番号）の出力とオフフック制御とを行い、試験用移動機２０に対して移動体通信網４０への通信接続を開始させる。
【００１９】
このとき、通信接続確認部１０２は、所定回数（例えば４回）のリサイクルカウントが終了するまで、試験用移動機２０と移動体通信網４０との通信接続の処理結果を示す処理結果情報を待ち受ける待受状態となる。そして、通信接続確認部１０２は、この待受状態の間に、試験用移動機２０から通信接続が正常に完了した旨の処理結果情報を検出した場合には、通信接続完了情報をオペレータ端末３０と通話接続確認部１０３とに送信する。一方、通信接続確認部１０２は、試験用移動機２０から通信接続が拒絶された旨の処理結果情報を検出した場合、または、リサイクルカウントが終了しても試験用移動機２０から何らの処理結果情報も検出できなかった場合には、当該エラーに対応するＮＧコード（０ｘ５１：エアシーケンスエラー）をオペレータ端末３０に送信する。
【００２０】
通話接続確認部１０３は、通信接続が正常に完了した試験用移動機２０と通話先移動機５０との通話接続を確認する部分である。この通話接続確認部１０３は、通信接続確認部１０２から通信接続が正常に完了した旨の処理結果情報を受け取ると、オペレータ端末３０から通話接続試験の開始を要求する通話接続要求情報を待ち受ける待受状態に移行する。そして、通話接続確認部１０３は、待受状態において、オペレータ端末３０から通話接続試験の開始を要求する開始要求情報を受信すると、試験用移動機２０に対して移動体通信網４０に属する通話先移動機５０との通話接続を指示する通話接続指示情報を出力する。
【００２１】
このとき、通話接続確認部１０３は、所定時間が経過するまで、試験用移動機２０と通話先移動機５０との通話接続の処理結果を示す処理結果情報を待ち受ける待受状態となる。そして、通話接続確認部１０３は、この待受状態の間に、試験用移動機２０から通話接続が正常に完了した旨の処理結果情報を検出した場合には、通話接続完了情報をオペレータ端末３０に送信する。また、通話接続確認部１０３は、通話接続がタイムアウトとなった場合には、ＮＧコード（０ｘ５２：ＭＳタイムアウト）をオペレータ端末３０に送信し、通話接続要求が送信されていなかった場合には、ＮＧコード（０ｘ５ｄ：規制中）をオペレータ端末３０に送信する。
【００２２】
オペレータ端末３０は、物理的には、ＣＰＵ、メモリ、通信インタフェイス、ハードディスクといった格納部、ディスプレイといった表示部等を備えたコンピュータシステムであり、移動機試験を行うための専用のアプリケーションがインストールされている。このオペレータ端末３０は、ユーザからの操作を契機として、移動機試験装置１０の制御部１０Ａに対して位置登録試験・通信接続試験・通話接続試験の開始を要求する開始要求情報を順次送信する。そして、オペレータ端末３０は、各開始要求情報の送信に応じて移動機試験装置１０から送信される各試験の完了情報又はＮＧコードを受信し、ＮＧコードを受信した場合には、当該ＮＧコードが示すエラー内容を表示することにより、ユーザに対して処理シーケンスの確認を促す。
【００２３】
なお、ＮＧコードとそのエラー内容との対応例を図２に示す。図２に示す例では、「ＮＧコード０ｘ５０（アタッチ／デタッチＮＧ）」は「アタッチ処理の拒絶」または「アタッチ処理結果未受信」に対応し、「ＮＧコード０ｘ５１（エアシーケンスエラー）」は、「ＲＲＣ接続のリサイクルアウト」または「ＲＲＣ接続の拒絶」に対応している。また、「ＮＧコード０ｘ５２（ＭＳタイムアウト）」は「試験用移動機との接続タイムアウト」に対応し、「ＮＧコード０ｘ５３（受信レベル＜待ち受け許可レベル）」は、「試験用移動機の信号受信レベルが基地局の入圏許可レベルよりも低レベル」または「通信接続要求のタイムアウト時において試験用移動機が最後に受信した信号のレベルが−９６ｄＢｍ以下」に対応している。さらに、「ＮＧコード０ｘ５４（システム情報未受信）」は、「情報の不正確な受信」に対応し、「ＮＧコード０ｘ５ｄ（規制中）」は、「通話接続要求が未送信」に対応している。
【００２４】
試験用移動機２０は、例えば市販されている汎用の携帯電話機であり、物理的には、ＣＰＵ（中央処理装置）、メモリといった記憶装置、プッシュボタンといった入力装置、ディスプレイといった表示装置等を有している。この試験用移動機２０は、移動機試験装置１０の制御部１０Ａから送信される各指示情報に基づいて、移動体通信網４０への各種接続を試行する。
【００２５】
より具体的には、試験用移動機２０は、位置登録確認部１０１からアタッチ処理指示情報及び電源指示情報を受け取ると、電源がＯＮ状態になると共に移動体通信網４０にＲＲＣ接続を要求し、当該要求に応じて移動体通信網４０から送信される処理結果情報を取得する。また、試験用移動機２０は、移動体通信網４０とのＲＲＣ接続が正常に完了した場合には、引き続き移動体通信網４０に対してアタッチ処理の要求を行い、当該要求に応じて移動体通信網４０から送信される処理結果情報を取得する。
【００２６】
さらに、試験用移動機２０は、通信接続確認部１０２から発信先番号の出力とオフフック制御とを受けると、移動体通信網４０の交換機に対して通信接続（ＲＲＣ接続）を要求し、当該要求に応じて移動体通信網４０の交換機から送信される通信接続の処理結果情報を取得する。また、通話接続確認部１０３から通話接続指示要求を受け取ると、移動体通信網４０に属する通話先移動機５０に対して通話接続を要求し、当該要求に応じて通話先移動機５０から送信される通話接続の処理結果情報を取得する。
【００２７】
続いて、上述した構成を有する移動機試験装置１０の動作について、図３及び図４に示すシーケンス図を参照しながら説明する。
【００２８】
まず、位置登録試験を行う際のステップについて説明する。図３に示すように、オペレータ端末３０から位置登録確認部１０１に位置登録試験の開始を要求する開始要求情報が送信されると（ステップＳ０１）、位置登録確認部１０１から試験用移動機２０にアタッチ処理の開始を指示するアタッチ処理指示情報と電源をＯＮ状態にするように指示する電源指示情報とが出力される（ステップＳ０２）。これにより、試験用移動機２０の電源がＯＮ状態となり、移動体通信網４０に向けてＲＲＣ接続の要求が送信され（ステップＳ０３）、当該要求に応じて移動体通信網４０から試験用移動機２０にＲＲＣ接続の処理結果情報が送信される（ステップＳ０４）。
【００２９】
このとき、位置登録確認部１０１は、試験用移動機２０から処理結果情報の検出を行う（ステップＳ０５）。そして、位置登録確認部１０１は、検出した処理結果情報を参照して位置登録が正常に完了したか否かの判断を行い（ステップＳ０６）、位置登録が正常に完了していないと判断した場合には、エラーに対応するＮＧコードをオペレータ端末３０に送信する（ステップＳ０７）。これにより、オペレータ端末３０には、ＮＧコードに対応するエラー内容の表示がなされる（ステップＳ０８）
【００３０】
一方、位置登録が正常に完了した場合には、引き続き試験用移動機２０から移動体通信網４０にアタッチ処理の要求が送信され（ステップＳ０９）、当該要求に応じて移動体通信網４０からアタッチ処理の処理結果情報が送信される（ステップＳ１０）。また、位置登録確認部１０１は、試験用移動機２０から処理結果情報を検出する（ステップＳ１１）。このとき、位置登録確認部１０１は、検出した処理結果情報を参照してアタッチ処理が正常に完了したか否かの判断を行い（ステップＳ１２）、アタッチ処理が正常に完了していないと判断した場合には、エラーに対応するＮＧコードをオペレータ端末３０に送信する（ステップＳ１３）。これにより、オペレータ端末３０には、ＮＧコードに対応するエラー内容の表示がなされる（ステップＳ１４）
【００３１】
これに対し、アタッチ処理が正常に完了したと位置登録確認部１０１が判断した場合には、位置登録確認部１０１から試験用移動機２０に在圏確認がなされ（ステップＳ１５）、位置登録確認部１０１は、試験用移動機２０から在圏確認結果を検出する（ステップＳ１６）。ここでも、位置登録確認部１０１は、在圏確認が正常に完了したか否かの判断を行い（ステップＳ１７）、在圏確認が正常に完了しなかったと判断した場合には、エラーに対応するＮＧコードをオペレータ端末３０に送信する（ステップＳ１８）。これにより、オペレータ端末３０には、ＮＧコードに対応するエラー内容の表示がなされる（ステップＳ１９）。また、在圏確認が正常に完了したと判断した場合には、位置登録確認部１０１からオペレータ端末３０と通信接続確認部１０２とに位置登録完了情報が送信され、位置登録試験が完了する（ステップＳ２０）。
【００３２】
次に、通信接続試験及び通話接続試験を行う際のステップについて説明する。
【００３３】
図４に示すように、オペレータ端末３０から通信接続確認部１０２に通信接続試験の開始を要求する開始要求情報が送信されると（ステップＳ２１）、位置登録確認部１０１から試験用移動機２０に発信先番号の送信とオフフック制御とがなされ（ステップＳ２２，ステップＳ２３）、試験用移動機２０から移動体通信網４０に向けて通信接続の要求が送信される（ステップＳ２４）。次に、当該要求に応じて移動体通信網４０から試験用移動機２０に通信接続の処理結果情報が送信され（ステップＳ２５）、通信接続確認部１０２は、この処理結果情報を検出する（ステップＳ２６）。
【００３４】
このとき、通信接続確認部１０２は、検出した処理結果情報を参照して通信接続が正常に完了したか否かの判断を行い（ステップＳ２７）、通信接続が正常に完了していないと判断した場合には、エラーに対応するＮＧコードをオペレータ端末３０に送信する（ステップＳ２８）。これにより、オペレータ端末３０には、ＮＧコードに対応するエラー内容の表示がなされる（ステップＳ２９）。一方、通信接続が正常に完了したと判断した場合には、通信接続確認部１０２からオペレータ端末３０と通話接続確認部１０３とに通信接続完了情報が送信され、通信接続試験が完了する（ステップＳ３０）。
【００３５】
さらに、通信接続試験の終了に続いて、オペレータ端末３０から通話接続確認部１０３に通話接続試験の開始を要求する開始要求情報が送信されると（ステップＳ３１）、通話接続確認部１０３から試験用移動機２０に対して、移動体通信網４０に属する通話先移動機５０との通話接続を指示する通話接続指示情報が出力される（ステップＳ３２）。そうすると、試験用移動機２０から移動体通信網４０に対して、当該移動体通信網４０に属する通話先移動機５０との通話接続の要求が送信され（ステップＳ３３）、当該要求に応じて通話先移動機５０から試験用移動機２０に通話接続の処理結果情報が送信される（ステップＳ３４）。そして、通話接続確認部１０３は、試験用移動機２０から処理結果情報を検出する（ステップＳ３５）。
【００３６】
このとき、通話接続確認部１０３は、受け取った処理結果情報を参照して通話接続が正常に完了したか否かの判断を行い（ステップＳ３６）、通話接続が正常に完了していないと判断した場合には、エラーに対応するＮＧコードをオペレータ端末３０に送信する（ステップＳ３７）。これにより、オペレータ端末３０には、ＮＧコードに対応するエラー内容の表示がなされる（ステップＳ３８）。一方、通話接続が正常に完了したと判断した場合には、通話接続確認部１０３からオペレータ端末３０に通話接続完了情報が送信され、通話接続試験が完了する（ステップＳ３９）。
【００３７】
次に、上述した移動機試験システム１の効果について説明する。この移動機試験システム１では、移動機試験装置１０の制御部１０Ａにより、試験用移動機２０の位置登録を確認するステップ、試験用移動機２０と移動体通信網４０との通信接続を確認するステップ、試験用移動機２０と通話先移動機５０との通話接続を確認するステップ、という３段階のステップを経ることによって当該試験用移動機２０の接続試験が行われる。そして、この移動機試験装置１０では、確認ステップごとの処理シーケンスが逐次オペレータ端末３０に送信すると共に、各々の確認ステップが正常に完了した場合にのみ、次の確認ステップの開始を待ち受けるようになっている。したがって、オペレータ端末３０によってこの試験用移動機２０の接続試験を監視しているユーザは、各確認ステップにエラーが発生した場合に、随時その処理シーケンスを確認することが可能となる。これにより、ユーザは、単に試験用移動機２０の接続試験の結果が正常であったか否かを知るだけではなく、不具合が発生した場合にその要因を詳細に把握することができる。
【００３８】
また、この移動機試験装置１０では、各確認ステップにおけるエラー内容をＮＧコードに対応させてオペレータ端末３０に送信するので、ユーザ側で容易にエラー内容が把握できるようになっている。さらに、通信接続試験及び通話接続試験を行うにあたっては、通信接続確認部１０２から試験用移動機２０に対してオフフック制御を行うので、試験開始時に試験用移動機２０を確実に待ち受け状態とし、試験をスムーズに進行させることができる。そして、移動機試験システム１では、試験用移動機２０として、汎用の移動機を対象としているので、機種ごとに試験専用の移動機を開発する必要がなく、試験サービスの早期実現やコスト削減が図られる
【図面の簡単な説明】
【００３９】
【図１】本発明に係る移動機試験装置を備えた移動機試験システムの一実施形態を示す構成図である。
【図２】ＮＧコードとエラー内容との対応例を示す図である。
【図３】図１に示した移動機試験システムにおける位置登録試験時の動作を示すシーケンス図である。
【図４】図１に示した移動機試験システムにおける通信接続試験時・及び通話接続試験時の動作を示すシーケンス図である。
【符号の説明】
【００４０】
１…移動機試験システム、１０…移動機試験装置、２０…試験用移動機、４０…移動体通信網、５０…通話先移動機、１０１…位置登録確認部、１０２…通信接続確認部、１０３…通話接続確認部。
【図１】
2007028545.tif 000003
【図２】
2007028545.tif 000004
【図３】
2007028545.tif 000005
【図４】
2007028545.tif 000006